(57)【要約】【課題】記録媒体に蓄積されている画像を再生表示するテレビ端末の幅広い表現の仕方を提供することを目的とする。【解決手段】テレビ端末において、再生表示する画像に含まれる撮影日時情報を自動的に抽出し、その情報とユーザが設定する付加価値選択情報をインターネット上に存在する特定サーバに送信する。サーバは撮影日時情報と付加価値選択情報に基づいて相互に該当または関連するデータ（新聞記事、音楽、テレビドラマの１シーン等）を送信元のテレビ端末側に送り返す。テレビ端末は送られてきたデータと元々の画像を同時に再生することで変化に富んだ画像再生を実現することができる。【選択図】図１
2006060741.tif 000002
【特許請求の範囲】
【請求項１】
記録媒体に蓄積されている画像に含まれる撮影日時情報とユーザが設定する付加価値選択情報とを含む端末側情報をサーバに送信するテレビ端末。
【請求項２】
請求項１記載の端末側情報に基づいてサーバ側情報を検索しテレビ端末に前記サーバ側情報を返信するサーバ。
【請求項３】
請求項２記載のサーバ側情報を受信し、記録媒体に蓄積されている画像と前記サーバ側情報とを同時に再生表示する請求項１記載のテレビ端末。
【請求項４】
サーバ側情報は、画像情報または音楽情報またはテキスト情報である請求項２記載のサーバ。
【請求項５】
サーバ側情報は、画像情報または音楽情報またはテキスト情報である請求項３記載のテレビ端末。
【発明の詳細な説明】
【技術分野】
【０００１】
本発明は、記録媒体に蓄積されている画像を再生表示するテレビ端末に関する。
【背景技術】
【０００２】
従来、例えばデジタルテレビジョン受信機やセットトップボックス等の受信装置にあっては、メモリカード等の記録媒体が装着可能となっており、前記記録媒体に記録された情報に基づいて所定のアプリケーションを実行することができるようになっている。
【０００３】
その実行の方法として、記録媒体の記録されているファイルのフォーマットに対応したアプリケーションを起動させるための操作ガイド画面を表示する制御手段を具備している受信装置も提案されている（例えば特許文献１参照。）。
【０００４】
また、デジタルカメラの急速な普及を背景に、個人が所有する静止画の数は年々増え続けており、膨大な静止画を個人がわかりやすく楽しむ方法として電子アルバム装置が提案されている（例えば特許文献２参照。）。
【特許文献１】特開２００２−４４５５２号公報
【特許文献２】特開２００３−９９４３４号公報
【発明の開示】
【発明が解決しようとする課題】
【０００５】
しかしながら、特許文献１で提案される受信装置は、前記受信装置に具備された装着手段に装着された記録媒体のファイルを自動的に判別して、必要なアプリケーションを起動するための操作ガイドを表示し、使用者にとっての取り扱いを簡便にする技術に関するものであり、再生されるものは前記記録媒体内のファイルに制限され、表示内容が限定される。
【０００６】
また、特許文献２で提案される電子アルバムも、個人の管理する写真画像を容易に、かつ非常に長い期間にわたって管理する技術に関するものであり、同じく表示内容が限定されてしまう。
【０００７】
本発明は、ユーザの撮影した画像と、新聞記事、画像、音楽といった時代背景がわかるデータとを共に表示することで、テレビ端末での幅広い表現の仕方を提供することを目的とする。
【課題を解決するための手段】
【０００８】
上記目的を達成するために、
請求項１記載の発明は、記録媒体に蓄積されている画像に含まれる撮影日時情報とユーザが設定する付加価値選択情報とを含む端末側情報をサーバに送信するテレビ端末であることを特徴とする。
【０００９】
請求項２記載の発明は、請求項１記載の端末側情報に基づいてサーバ側情報を検索しテレビ端末に前記サーバ側情報を返信するサーバであることを特徴とする。
【００１０】
請求項３記載の発明は、請求項２記載のサーバ側情報を受信し、記録媒体に蓄積されている画像と前記サーバ側情報とを同時に再生表示する請求項１記載のテレビ端末であることを特徴とする。
【００１１】
請求項４記載の発明は、サーバ側情報は、画像情報または音楽情報またはテキスト情報である請求項２記載のサーバであることを特徴とする。
【００１２】
請求項５記載の発明は、サーバ側情報は、画像情報または音楽情報またはテキスト情報である請求項３記載のテレビ端末であることを特徴とする。
【発明の効果】
【００１３】
以上のように本発明は、記録媒体に含まれる画像を単に表示する単一的な表示ではなく、ユーザの撮影した画像と、新聞記事、画像、音楽といった時代背景がわかるデータとを共に表示することで、テレビ端末での幅広い表現の仕方を提供することができる。
【発明を実施するための最良の形態】
【００１４】
（実施の形態１）
以下に、本発明の実施形態について、図面を参照して説明する。
【００１５】
本発明の概要を、図１を参照して説明する。図１は本発明の実施の形態１におけるテレビ端末１およびサーバ４を含むシステムの構成を示すブロック図である。図1において、１は家庭におけるテレビ端末を、２はテレビ端末１をインターネットに接続するための通信装置（ＡＤＳＬモデム、ＣＡＴＶモデム等）を、３はインターネット網を、４は撮影日時情報とユーザが設定する付加価値選択手段情報に基づいてデータを配信するサーバを示す。ここで、付加価値選択手段情報とは、撮影日時に関連する様々な情報の中から、ユーザが興味を持つ情報、例えば新聞記事、音楽、テレビドラマの１シーン等といったその時代を象徴するものをいう。テレビ端末１のハードウェア構成を簡単に説明する。マイクロコンピュータ１３はテレビ端末１全体を制御する。制御用プログラムはＲＯＭ１２に保存されており、ＲＡＭ１１にて制御用プログラムは動作する。このテレビ端末１は入力装置１６によって操作される。記録媒体２２はカード装着部２１に保持され、マイクロコンピュータ１３の制御により記録媒体２２内のデータがＲＡＭ１１に転送される。ＬＡＮ１４は１０Ｍｂｐｓ／１００Ｍｂｐｓ、あるいはそれ以上の通信速度を持ったチップであり、通信ポート１５を通してモデムやルータといった通信装置２と接続される。通信ポート１５の例として、ＲＪ−４５がある。再生する映像および音声データのうち、映像データは映像信号処理部１７を介してディスプレイ１８に出力され、音声データは音声信号処理部１９を介してスピーカ２０に出力される。テレビ端末１は、サーバ４から送信されてくる動画、静止画、音楽データといったマルチメディアを再生する機能を、予め搭載しているものとする。
【００１６】
図２は本発明の実施の形態１におけるサーバ４の内部構成を示すブロック図である。図２において、サーバ４の構成を簡単に説明する。サーバ４は通信Ｉ／Ｆ３１とデータベース３４を有する。通信Ｉ／Ｆ３１を通じて、テレビ端末１から撮影日時情報３２と付加価値選択情報３３を受信する。受信した撮影日時情報３２と付加価値選択情報３３をキーにして、データベース３４から該当する選択結果データ３５を選択する。選択された選択結果データ３５を通信Ｉ／Ｆ３１を通じてテレビ端末１に送信する。
【００１７】
図３は本発明の実施の形態１におけるテレビ端末１およびサーバ４の処理動作を示すフローチャートである。ユーザが記録媒体２２に蓄積された画像データの再生を開始する（ステップＳ１１）。テレビ端末１は、カード装着部２１を通じて、予め記録媒体２２に蓄積されている個々の画像データから撮影日時情報３２を抜き出す（ステップＳ１２）。撮影日時情報３２は、例えばＥＸＩＦ（Exchangeable image file format）準拠のデジタルカメラで撮影した静止画像においては、原画像データの生成日時というタグ情報として自動的に記録される。そのタグ情報を検索することで撮影日時情報を抜き出すことが可能である。
ユーザは入力装置１６を用いて、ユーザが興味を持っている情報、例えば新聞記事、音楽、テレビドラマの１シーン等といったその時代を象徴する選択リストの中から、付加価値選択情報を選択する（ステップＳ１３）。これらの選択リストはあらかじめテレビ端末１に内蔵されていても構わないし、サーバ４から配信され、リスト更新されても構わない。テレビ端末１は前記撮影日時情報３２と前記付加価値選択情報３３を含む端末側情報をサーバ４に送信する（ステップＳ１４）。サーバ４は前記撮影日時情報３２と前記付加価値選択情報３３をキーとして、自身のデータベース３４から相互に該当または関連する選択結果データ３５（新聞記事、音楽、テレビドラマの１シーン等）を抽出する（ステップＳ１５）。サーバ４はサーバ側情報である選択結果データ３５を、テレビ端末１に返信する（ステップＳ１６）。テレビ端末１はサーバ４から返信されてきた選択結果データ３５と記録媒体２２にあるファイルを同時に再生する（ステップＳ１７）。具体的には、記録媒体２２に２０００年9月２４日にデジタルカメラで撮影した静止画が入っているとする。この場合、２０００年9月２４日という撮影日時情報３２が抽出される。ユーザが付加価値選択情報３３として新聞記事を選択したとする。この場合、２０００年9月２４日という撮影日時情報３２と新聞記事という付加価値選択情報３３がサーバ４に送信される。サーバ４は通信Ｉ／Ｆ３１を通じて受信した２０００年9月２４日という撮影日時情報３２と新聞記事という付加価値選択情報３３をキーにして、データベース３４にアクセスする。アクセスの結果の例として、シドニーオリンピックにおける選手Ｅの女子マラソン金メダルといった記事が選択される。この記事が選択結果データ３５として、通信Ｉ／Ｆ３１を通じてテレビ端末１に返信される。データの形式は静止画でも動画でもテキストでも構わない。テレビ端末１は選択結果データ３５を受信し、並べて表示したり、一方を壁紙として表示するといった表示の仕方が考えられる。付加価値選択情報３３として音楽を選択した場合は、２０００年9月２４日という撮影日時情報３２と音楽という付加価値選択情報３３がサーバ４に送信される。サーバ４は通信Ｉ／Ｆ３１を通じて受信した２０００年9月２４日という撮影日時情報３２と音楽という付加価値選択情報３３をキーにして、データベース３４をアクセスする。アクセスの結果の例として、ヒット曲である歌手Ａの曲名Ｂが選択される。この音楽データの形式は問わない。テレビ端末１は選択結果データ３５を受信し、音楽データを再生しながら静止画を表示することが考えられる。
【産業上の利用可能性】
【００１８】
本発明のテレビ端末およびサーバは、記録媒体に含まれる画像を単に表示する単一的な表示ではなく、ユーザの撮影した画像と、新聞記事、画像、音楽といった時代背景がわかるデータとを共に表示することで、テレビ端末での幅広い表現ができ有用である。
【図面の簡単な説明】
【００１９】
【図１】本発明の実施の形態１におけるテレビ端末１およびサーバ４を含むシステムの構成を示すブロック図
【図２】本発明の実施の形態１におけるサーバ４の内部構成を示すブロック図
【図３】本発明の実施の形態１におけるテレビ端末１およびサーバ４の処理動作を示すフローチャート
【符号の説明】
【００２０】
１    テレビ端末
２    通信装置
３    インターネット網
４    サーバ
１１    ＲＡＭ
１２    ＲＯＭ
１３    マイクロコンピュータ
１４    ＬＡＮ
１５    通信ポート
１６    入力装置
１７    映像信号処理部
１８    ディスプレイ
１９    音声信号処理部
２０    スピーカ
２１    カード装着部
２２    記録媒体
３１    通信Ｉ／Ｆ
３２    撮影日時情報
３３    付加価値選択情報
３４    データベース
３５    選択結果データ
【図１】
2006060741.tif 000003
【図２】
2006060741.tif 000004
【図３】
2006060741.tif 000005